(57)【特許請求の範囲】
【請求項１】
記録媒体を挿抜可能に収納する媒体収納部を備えた電子機器において、
前記記録媒体を前記媒体収納部から取り出す為の操作部材と、
前記操作部材を操作できる状態あるいは操作できない状態にする操作制限部材と、
前記操作部材が操作できる状態か否かを検知する検知部と、
を備え、
前記検知部の検知結果に応じて前記記録媒体への記録動作を中断もしくは禁止する制御を行うことができ、
前記検知部が前記操作部材を操作できる状態であると検知した場合でも、前記記録媒体への記録動作を中断もしくは禁止する制御を行わないように設定できることを特徴とする電子機器。
【請求項２】
前記媒体収納部が、前記記録媒体および通信媒体を収納できることを特徴とする請求項１に記載の電子機器。
【請求項３】
前記操作制限部材は、前記操作部材を収容する収容部を開閉可能に閉塞する蓋であることを特徴とする請求項１に記載の電子機器。
【請求項４】
前記操作部材は、これを機器本体の外側から押圧することにより前記媒体を取り出すことができ、その先端部が折り曲げ可能であり、当該先端部を折り曲げることによって前記収容部内に収納できるように構成され、かつ押圧する向きと逆向きに弾性的に付勢されていることを特徴とする請求項１〜３のいずれかに記載の電子機器。
【請求項５】
前記記録媒体および前記通信媒体を複数収納可能な電子機器において、前記操作部材を収納可能な媒体数と同数備え、各操作部材を操作することにより個々の媒体を別々に取り出すことができるように構成するとともに、これら操作部材を１つの収容部に配置し、当該収容部を前記蓋で開閉可能に閉塞したことを特徴とする請求項２〜４のいずれかに記載の電子機器。
【請求項６】
前記記録媒体および前記通信媒体を複数収納可能な電子機器において、前記操作部材を収納可能な媒体数と同数備え、各操作部材を操作することにより個々の媒体を別々に取り出すことができるように構成するとともに、各操作部材ごとに前記操作制限部材を備えたことを特徴とする請求項２〜４のいずれかに記載の電子機器。
【請求項７】
前記操作制限部材ごとに前記操作部材を操作できる状態であるか否かを検出する検知手段を備え、当該検知手段の検知結果に応じて各記録媒体への記録を別々に制御するように構成したことを特徴とする請求項６に記載の電子機器。
【発明の詳細な説明】
【０００１】
【発明の属する技術分野】
本願発明は、メモリカードなどの記録媒体やインタフェースカードなどの通信媒体を挿抜可能に収納する媒体収納部を備えた電子機器に関する。
【０００２】
【従来の技術】
従来、記録媒体を挿抜できる電子機器においては、たとえば、記録中に不用意に記録媒体が抜かれないように、その挿抜口を蓋で覆うようにしているものがある。さらに、その蓋に開閉検出スイッチを設けることにより、蓋が開けられたことを検知し、記録動作等を制限するものもある。この種の電子機器に関する技術文献としては、特開平09-319663号公報、特開平08-129621号公報、特開平08-297525号公報等がある。
【０００３】
【発明が解決しようとする課題】
しかし、記録媒体と共通の挿抜口を使用して通信媒体を装着できるように構成した電子機器においては、通信媒体が信号線を伴っているという構造上の制限から、少なくとも通信媒体が装着されている状態においては挿抜口を蓋で覆うことはできない。
本願発明の課題は、記録媒体と通信媒体を共通の挿抜口を使用して装着できるように構成した電子機器において、記録媒体に対する記録動作中に不用意にその記録媒体の取り出し操作が行われてしまうのを防止して、記録時における保安性を確保することにある。
【０００４】
【課題を解決するための手段】
上記課題を解決するために、請求項１記載の発明は、記録媒体を挿抜可能に収納する媒体収納部を備えた電子機器において、前記記録媒体を前記媒体収納部から取り出す為の操作部材と、前記操作部材を操作できる状態あるいは操作できない状態にする操作制限部材と、前記操作部材が操作できる状態か否かを検知する検知部と、を備え、前記検知部の検知結果に応じて前記記録媒体への記録動作を中断もしくは禁止する制御を行うことができ、前記検知部が前記操作部材を操作できる状態であると検知した場合でも、前記記録媒体への記録動作を中断もしくは禁止する制御を行わないように設定できることを特徴とする。
また、請求項２記載の発明は、請求項１に記載の電子機器において、前記媒体収納部が、前記記録媒体および通信媒体を収納できることを特徴とする。
また、請求項３記載の発明は、請求項１に記載の電子機器において、前記操作制限部材は、前記操作部材を収容する収容部を開閉可能に閉塞する蓋であることを特徴とする。
また、請求項４記載の発明は、請求項１〜３のいずれかに記載の電子機器において、前記操作部材は、これを機器本体の外側から押圧することにより前記媒体を取り出すことができ、その先端部が折り曲げ可能であり、当該先端部を折り曲げることによって前記収容部内に収納できるように構成され、かつ押圧する向きと逆向きに弾性的に付勢されていることを特徴とする。
また、請求項５記載の発明は、請求項２〜４のいずれかに記載の電子機器において、前記記録媒体および前記通信媒体を複数収納可能な電子機器において、前記操作部材を収納可能な媒体数と同数備え、各操作部材を操作することにより個々の媒体を別々に取り出すことができるように構成するとともに、これら操作部材を１つの収容部に配置し、当該収容部を前記蓋で開閉可能に閉塞したことを特徴とする。
また、請求項６記載の発明は、請求項２〜４のいずれかに記載の電子機器において、前記記録媒体および前記通信媒体を複数収納可能な電子機器において、前記操作部材を収納可能な媒体数と同数備え、各操作部材を操作することにより個々の媒体を別々に取り出すことができるように構成するとともに、各操作部材ごとに前記操作制限部材を備えたことを特徴とする。
また、請求項７記載の発明は、請求項６に記載の電子機器において、前記操作制限部材ごとに前記操作部材を操作できる状態であるか否かを検出する検知手段を備え、当該検知手段の検知結果に応じて各記録媒体への記録を別々に制御するように構成したことを特徴とする。
【０００５】
【発明の実施の形態】
以下、本願発明の実施の形態について図面を参照して説明する。
図１は本願発明にかかる電子機器の要部斜視図、図２〜図４は要部断面図である。図中、１は機器本体、２ａ、２ｂはスロット蓋、３はカードイジェクト蓋である。蓋２ａ、２ｂは上下に設けられたカードスロット（挿抜口）４ａ、４ｂをそれぞれ閉塞するようにして設けられている。
図２に示すように、スロット蓋２ａ、２ｂは、ヒンジ機構５ａ、５ｂにより機器本体１に連結されており、閉状態（図２（ａ））と開状態（図２（ｂ））との間で回転自在に保持されるとともに、図示しないばねによって機器本体１の外側に向けて付勢されている。つまり、スロット蓋２ａ、２ｂは、媒体収納部７ａ、７ｂが空のときはカードスロット４ａ、４ｂを閉塞し、インタフェースカード（通信媒体）やメモリカード（記録媒体）などのカード６Ａ、６Ｂがカードスロット４ａ、４ｂから媒体収納部７ａ、７ｂ内に挿入されたときにカード６Ａ、６Ｂに押されて内側に転倒する仕組みになっている。なお、図２（ｂ）中のカード６Ａ、６Ｂはインタフェースカードであり、８はカードの端部に接続された信号線を示している。
カードイジェクト蓋３は、図３に示すように、ヒンジ機構９により機器本体１に連結されており、閉状態（図３（ａ））と開状態（図３（ｂ））との間で回転自在に保持されるとともに、図示しない係止機構によって閉状態に保持されるようになっている。カードイジェクト蓋３を開くと、機器本体１内に設けられたカードイジェクトレバー（操作部材）１０Ａ、１０Ｂが露出し、上側のカードイジェクトレバー１０Ａを押すと、上側のカードスロット４ａに収納されたカードを取り出すことができ、下側のカードイジェクトレバー１０Ｂを押すと、下側のカードスロット４ｂに収納されたカードを取り出すことができるようになっている。
カードイジェクトレバー１０Ａ、１０Ｂは、ばね１１によって機器本体１の外側に向けて付勢されたレバー本体１０ａとその先端部に設けられたボタン部材（先端部材）１０ｂとからなる。ボタン部材１０ｂは、ヒンジ機構１３によりレバー本体１０ａに連結されており、機器本体１内に収納された状態（図４（ａ））から、機器本体１から突出した状態、すなわち操作可能状態（図４（ｂ））まで回転自在に保持されている。ボタン部材１０ｂは、機器本体１内に収納された状態と操作可能状態の両状態においてそれぞれ姿勢が保持されるようになっている。
【０００６】
カードイジェクト蓋３は、ボタン部材１０ｂが機器本体１内に収納されていれば閉めることができるが、ボタン部材１０ｂが機器本体１が操作可能状態（図４（ｂ））のときは閉めることができない。ボタン部材１０ｂを機器本体１内に収納し、カードイジェクト蓋３を閉めておけば、ボタン部材１０ｂが不用意に操作されるのを防止することができる。
機器本体１内には、このカードイジェクト蓋３の開閉を検知する開閉検知スイッチ１４が設けられている。開閉検知スイッチ１４は、カードイジェクト蓋３が閉じられたときに押される可動部材１４ａが押されたときにオンし、その信号を機器本体１内の図示しない制御系へ出力するようになっている。制御系は、メモリカードへの記録動作中に、開閉検知スイッチ１４がオフした場合、ボタン部材１０ｂが操作可能状態（図４（ｂ））になったと判断し、速やかに記録中断の動作に移る。
この実施の形態のように、媒体収納部７ａ、７ｂからカード６Ａ、６Ｂを取り出すためのボタン部材１０ｂの操作を制限するカードイジェクト蓋３を設けたことにより、メモリカードへの記録動作中に不用意にカードの取り出し動作が行われるのを防止できる。すなわち、記録動作中にカードが取り出されると、データの破損や消失、カードの破損などを引き起こす危険性があるが、カードイジェクト蓋３を設けてボタン部材１０ｂの不用意な操作を制限することでこのような不具合を防止できる。
また、ボタン部材１０ｂを操作できる状態であるか否か、すなわちカードイジェクト蓋３が開いているか閉じているかを検出する開閉検知スイッチ１４を備え、メモリカードへの記録動作中に、開閉検知スイッチ１４がオフした場合、速やかに記録中断の動作に移ることができる。また、開閉検知スイッチ１４がオフのときは、記録動作の開始を禁止することができる。いずれの場合も、データやカードの破損などを確実に防止できる。
また、カード６Ａ、６Ｂを取り出すための操作部材である２つのカードイジェクトレバー１０Ａ、１０Ｂを１つの収容部１５内に配置し、これら２つのカードイジェクトレバー１０Ａ、１０Ｂの操作を１つのカードイジェクト蓋３で制限できるように構成したので、限られたスペースを有効利用して機器の小型化、低コスト化を図り、使い勝手も向上できる。
また、操作部材である２つのカードイジェクトレバー１０Ａ、１０Ｂをカードイジェクト蓋３で覆うことにより、操作制限を確実にするとともに、機器の外観も良くすることができる。
また、カードイジェクトレバー１０Ａ、１０Ｂは、バネ１１によって押圧方向と逆方向に常に付勢するようにした結果、カード６Ａ、６Ｂの有無に関係なく機器本体１の側面から出っ張った状態となるが、先端部のボタン部材１０ｂを折り曲げることによりそれを収容部１５の中に収めカードイジェクト蓋３を閉めることができる。
【０００７】
なお、本願発明は上記実施の形態に限定されるものではなく、たとえば、複数のカードイジェクトレバーを設けた構成において、各カードイジェクトレバーごとに操作制限部材（たとえば上記カードイジェクト蓋３を分割したものに相当する蓋体）を設けてもよい。このようにすれば、１つのカードを使用している時に別のカードを挿抜することができる。
また、更に、各操作制限部材ごとに各カードイジェクトレバーを操作できる状態であるか否かを検出する開閉検知スイッチ（検知手段）を設け、各開閉検知スイッチの検知結果に応じて各カードへの記録を別々に制御するように構成してもよい。
また、以上の実施の形態において、開閉検知スイッチにより、カードイジェクトレバーを操作できる状態であると検知された場合でも、カードへの記録動作を中断もしくは禁止する制御を行わないように設定できるように構成してもよい。このようにすれば、たとえばカード６Ａ、６Ｂを頻繁に交換するような使用状況の場合、カードイジェクト蓋３を開けた状態のまま記録動作ができるようになる。また、万が一カードイジェクト蓋３が破損したような場合でも、そのために全く記録動作ができなくなるという不具合を回避できる。また、万が一カードイジェクトレバー１０Ａ、１０Ｂが破損したような場合も、そのために全く記録動作ができなくなるという不具合を回避できる。
【０００８】
【発明の効果】
以上説明したように、本願発明は以下のような優れた効果を発揮する。
請求項１又は２記載の発明によれば、検知手段により操作部材を操作できる状態であると検知された場合でも、記録媒体への記録動作を中断もしくは禁止する制御を行わないように設定できるように構成したことにより、たとえば媒体を頻繁に交換するような使用状況の場合における作業効率を向上できる。また、万が一操作制限部材が破損したような場合でも、そのために全く記録動作ができなくなるという不具合を回避できる。また、万が一操作部材が破損したような場合も、そのために全く記録動作ができなくなるという不具合を回避できる。
請求項３記載の発明によれば、操作制限部材の機能を、操作部材の収容部を覆う蓋に持たせたことにより、操作制限を確実にするとともに、機器の外観も良くすることができる。
請求項４記載の発明によれば、操作部材を押圧方向と逆方向に常に付勢するようにした結果、媒体の有無に関係なく機器本体の側面から操作部材の先端部が出っ張った状態となるが、その先端部を折り曲げることによって収容部内に収納し蓋を閉めることができる。蓋を閉じなければ記録動作は行われないので、データや記録媒体の破損などを確実に防止できる。
請求項５記載の発明によれば、複数の操作部材を１つの収容部内に配置し、これら２つの操作部材の操作を収容部を覆う１つの蓋で制限できるように構成したので、限られたスペースを有効利用して機器の小型化、低コスト化を図り、使い勝手も向上できる。
【０００９】
請求項６記載の発明によれば、複数の操作部材を備え、各操作部材ごとに操作制限部材を設けることにより、１つの媒体を使用している時に別の媒体を挿抜することが可能になる。
請求項７記載の発明によれば、各操作制限部材ごとに各操作部材を操作できる状態であるか否かを検知する検知手段を設け、各検知手段の検知結果に応じて各媒体への記録を別々に制御するように構成することにより、各記録媒体の記録動作中に、記録媒体を取り出す操作がされた場合、速やかに記録中断の動作に移ることができる。また、不用意な記録動作の開始を禁止することができる。いずれの場合も、データや記録媒体の破損などを確実に防止できる。
【図面の簡単な説明】
【図１】本願発明にかかる電子機器の要部斜視図である。
【図２】図１に示す電子機器の要部断面図であり、（ａ）は媒体が挿入されていない状態、（ｂ）は媒体が挿入されている状態をそれぞれ示す図である。
【図３】図１に示す電子機器の別の要部断面図であり、（ａ）は操作制限部材であるカードイジェクト蓋が開いている状態、（ｂ）はカードイジェクト蓋が閉じている状態をそれぞれ示す図である。
【図４】図１に示す電子機器の別の要部断面図であり、（ａ）は操作制限部材であるカードイジェクト蓋が開いている状態、（ｂ）はカードイジェクト蓋が閉じている状態をそれぞれ示す図である。
【符号の説明】
１：機器本体
２ａ、２ｂ：スロット蓋
３：カードイジェクト蓋（操作制限部材）
４ａ、４ｂ：カードスロット（挿抜口）
６Ａ、６Ｂ：カード（媒体）
１０Ａ、１０Ｂ：カードイジェクトレバー（操作部材）
１１：ばね（付勢部材）
１０ａ：レバー本体
１０ｂ：ボタン部材（先端部材）
１４：開閉検知スイッチ（検知手段）
１５：収容部
【図１】
0004027566.tif 000002
【図２】
0004027566.tif 000003
【図３】
0004027566.tif 000004
【図４】
0004027566.tif 000005